(57)【特許請求の範囲】
【請求項１】
道路等の地上に立設して、看者の注意を喚起させる注意喚起装置であって、
基台上に、内部に空気を供給することによって膨張し、内部の空気を排出することによって収縮する軟質の伸縮本体の底部が装着され、前記基台には発光球および前記伸縮本体内に空気を供給するための空気供給用のブロアが設けられ、当該基台の下面には脚体が固着されており、前記基台は脚体が外側となるように折曲自在に、少なくとも２分割されていることを特徴とする伸縮自在な注意喚起装置。
【発明の詳細な説明】
【０００１】
【発明の属する技術分野】
本発明は、警察による検問や、事故若しくは工事現場において、通行中の車両のドライバー等の看者の注意を喚起させる注意喚起装置に関するものであり、運搬時には小型軽量で、使用時には大型となることを特徴とするものである。
【０００２】
【従来の技術】
伸縮自在な注意喚起装置に関連し本件発明者が既に出願しているものがある（実願平５−７２１１１号参照）。
【０００３】
前記出願にかかる第１の発明は、発明は、地上に立設することによって看者の注意を喚起する注意喚起装置であり、内部に気体を供給することによって膨張し、内部の気体を排出することによって収縮する軟質の伸縮本体が設けられ、当該収縮本体には閉成時にも若干の通気性を有するファスナが開閉自在に装着されており、伸縮本体の膨張状態においてファスナの閉成時には若干量の気体が当該ファスナを通過して外部に排出され、ファスナの開放時には大量の気体が当該ファスナの開口部を通過して外部に排出されることを特徴とするものである。
【０００４】
また、前記出願にかかる第２の発明は、地上に立設することによって看者の注意を喚起する注意喚起装置であり、内部に気体を供給することによって膨張し、内部の気体を排出することによって収縮する軟質の伸縮本体が設けられ、当該収縮本体には通気用の小孔と閉成時には通気性を有しないファスナが開閉自在に装着されており、伸縮本体の膨張状態においてファスナの閉成時には若干量の気体が前記小孔を通過して外部に排出され、ファスナの開放時には大量の気体が当該ファスナの開口部を通過して外部に排出されることを特徴とするものである。
【０００５】
更に、前記出願にかかる第３の発明は、地上に立設することによって看者の注意を喚起する注意喚起装置であり、内部に気体を供給することによって膨張し、内部の気体を排出することによって収縮する軟質の伸縮本体が複数個並設され、当該収縮本体の膨張時に、各収縮本体間に軟質の網状体が装着されていることを特徴とするものである。
【０００６】
【発明が解決しようとする課題】
前述のような、従来の技術では、搬送時や保管時には伸縮本体内の気体を排出して体積を収縮させるものであり、いずれも小型軽量に構成することは可能となるが、金属製の筐体に収納されるものであり、重量が大となると共に、コスト的に高価とならざるを得なかった。
【０００７】
本発明はかかる従来装置の課題を解決するもので、従来の装置よりも安価で軽量の注意喚起装置を実現せんとするものである。
【０００８】
【課題を解決するための手段】
本発明は、道路等の地上に立設して、看者の注意を喚起させる注意喚起装置であって、基台上に、内部に空気を供給することによって膨張し、内部の空気を排出することによって収縮する軟質の伸縮本体の底部が装着され、前記基台には発光球および前記伸縮本体内に空気を供給するための空気供給用のブロアが設けられ、当該基台の下面には脚体が固着されており、前記基台は脚体が外側となるように折曲自在に、少なくとも２分割されていることを特徴とするものである。
【０００９】
本発明では、基台は折曲自在に少なくとも２分割されていて、かつ基台の下面に脚体が固着されており、前記基台は前記脚体が外側となるように折曲自在に構成されているので、当該注意喚起装置の不要時には、折り曲げた基台間に伸縮本体を収納すると、迅速かく容易に撤去することができ、更に前記脚体を把持することによって容易に携行することができる。
【００３２】
【発明の実施の形態】
図面はいずれも本発明の一実施例を現し、図１は使用状態の正面斜視図、図２は収縮状態の正面斜視図、図３は収納状態の斜視図、図４は脚体の正面図、図５は基台の平面図そして図６は基台の分解斜視図である。
【００３３】
これらの図において、１は金属板にてなる６角形状の基台で、部分的に強化枠２が固設されると共にＶ字状の脚体３・・・が装着されている。
【００３４】
前記脚体３・・・は、折曲可能に形成され、不使用時には折曲されている。
【００３５】
なお、前記基台１は３個の部分１Ａ、１Ｂ、１Ｃからなり、各部分は図５に示すようにヒンジ４・・・にて、折曲自在に接続されている。
【００３６】
そして、前記基台の上面には、半透明若しくは透明で、厚さが０．１ｍｍないし０．４ｍｍのゴム製若しくは軟質樹脂製の伸縮本体５の下縁がネジ６・・・にて固着されている。
【００３７】
当該伸縮本体５は、内部に空気が充満すると、図１に示すように高さが１８０ｃｍ前後の略円錐形状となるように形成されている。
【００３８】
前記基台１の中央部１Ｂには、図５、図６に示すような長方形状の開口７が開設されている。
【００３９】
また前記開口７の下方からは、当該開口７よりも若干大型の支持板８が、ネジ９・・・にて着脱可能に装着されている。
【００４０】
前記支持板８の中央部には吸気孔（図示せず）が穿設され、当該吸気孔には異物吸引防止用の（図示せず）が装着されている
【００４１】
前記支持板８の上には、図５、図６に示すように、吸気孔に対応する部位にモータ１０の回転軸に直結されたブロア１１が固設されている。
【００４２】
前記モータ１０の出力は、装置の規模やブロア１１の設置個数にもよるが、１０秒ないし１５秒程度で伸縮本体５を膨張させるのに必要な８ワットないし１６ワットが適当である。
【００４３】
また、前記支持板８の、ブロア１１の左右には電源を投入すれば常時点灯する発光球１２と、点滅を繰り返す発光球１３が装着されており、いずれかを択一的に発光させることのみならず、双方ともに点灯できるように制御されている。
【００４４】
図示はしないが、前記発光球１２、１３には、その下部に反射面が上方を向いたパラボラ状の反射鏡が装着されていてもよい。
【００４５】
そうすることによって、発光球１２、１３から放射された光線の殆どが上方に照射され、当該光線は頂上内部にまで到達し、伸縮本体５の内部全体が照明される。
【００４６】
従って、伸縮本体５全体が発光することになって、注意喚起効果は一層増大することになる。
【００４７】
なお、前記発光球１２、１３およびブロア１１は、基台の中央部１Ｂの開口７を下方から通過できる大きさ有すると共に、開口７を下方から通過できる位置にレイアウトされている。
【００４８】
従って、現場などで、ブロア１１等が故障した場合には、故障していないブロア１１、発光球１２、１３が装着されている支持板８と交換すれば迅速に対応することができる。
【００４９】
伸縮本体５には、その側面にファスナ１４が設けられており、装置の不使用時に、前記ファスナ１４を開放することによって、伸縮本体５内の空気を急速に排出し、装置の撤去の迅速化が図られている。
【００５０】
また、発光球１２、１３が切れたような場合には、前記ファスナ１４を開放することによってできる大型の開口から当該発光球１２、１３を着脱交換することができる。
【００５１】
また、本実施例ではＡＣ電源にて直接駆動するものであるが、ブロア１１側部に充電式のバッテリが備えられ、当該バッテリによって駆動することも可能である。
【００５２】
この場合、このバッテリが錘の役目を果たすので、装置本体はより転倒難くなる。
【００５３】
なお、前記支持板８は必ずしも３分割される必要はなく、２分割でも実用に供し得る。
【００５４】
而して、装置の使用時には、先ず前記ブロア１１を作動させて伸縮本体５の内部に空気を充満させて形状を保持させ、次いで発光球１２、１３のいずれか一方若しくは双方を転倒させると、伸縮本体５が発光する如く見え、看者の注意を喚起することになる。
【００５５】
そして、使用状態が終了した場合には、伸縮本体５の側面のファスナ１４を開放することによって、伸縮本体５内の空気を急速に排出し、図２に示すような状態に収縮させ、ついで前記基台１の両端部１Ａ、１Ｃを折り曲げると、図３に示すように、伸縮本体５が基台１の両端部１Ａ、１Ｃにて囲繞された状態となり、前記強化枠２若しくは脚体３を把持すると容易に携行することができる。
【００５６】
【発明の効果】
本発明では、基台は折曲自在に少なくとも２分割されていて、かつ基台の下面に脚体が固着されており、前記基台は前記脚体が外側となるように折曲自在に構成されているので、当該注意喚起装置の不要時には、折り曲げた基台間に伸縮本体を収納すると、迅速かく容易に撤去することができ、更に前記脚体を把持することによって容易に携行することができる。
【図面の簡単な説明】
【図１】本発明の一実施例の使用状態の正面斜視図である。
【図２】本発明の一実施例の収縮状態の正面斜視図である。
【図３】本発明の一実施例の収納状態の正面斜視図である。
【図４】本発明の一実施例の脚体の正面図である。
【図５】本発明の一実施例の基台の平面図である。
【図６】本発明の一実施例の基台の分解斜視図である。
【符号の説明】
１    基台
１Ａ  基台の端部
１Ｂ  基台の中央部
１Ｃ  基台の端部
２    強化枠
３    脚体
４    ヒンジ
５    伸縮本体
６    ネジ
７    開口
８    支持板
９    ネジ
１０    モータ
１１    ブロア
１２    常時点灯する発光球
１３    点滅を繰り返す発光球
１４    ファスナ
【図１】
0003637433.tif 000002
【図２】
0003637433.tif 000003
【図３】
0003637433.tif 000004
【図４】
0003637433.tif 000005
【図５】
0003637433.tif 000006
【図６】
0003637433.tif 000007